(57)【要約】【課題】駆動物を安定して移動及び回動させることができる遊技機の提供を目的とする。【解決手段】第１レール１９１と第２レール１９５を駆動物１４１の回動中心の軸方向に並んで平行に設け、駆動物１４１には、第１誘導部１８５と第２誘導部１８７を設け、第１レール１９１には、駆動物１４１が第１位置から第２位置へ移動する際に、第１誘導部１８５と接触して第１誘導部１８５を第１回転方向へ押圧し第１回転方向へ回転させる第１押圧傾斜部１９２と、駆動物の第２回転方向への回転時に第１誘導部１８５を退避させる第１退避傾斜部１９２とを設け、第２レール１９５には、駆動物１４１が第２位置から第１位置へ移動する際に、第２誘導部１８７と接触して第２誘導部を第２回転方向へ押圧し第２回転方向へ回転させる第２押圧傾斜部１９６と、駆動物１４１の第１回転方向への回転時に第２誘導部１８７を退避させる第２退避傾斜部１９６とを設けた。【選択図】      図１３
2010227653.tif 000002
【特許請求の範囲】
【請求項１】
駆動源の駆動により第１位置と第２位置間を往復移動する移動体と、
前記移動体が移動する際の軌道に直交する軸を中心として第１回転方向及び該第１回転方向とは逆の第２回転方向へ回動可能に前記移動体に取り付けられて前記移動体と共に前記第１位置と前記第２位置間を往復移動する駆動物と、
を備えた遊技機において、
前記移動体が移動する際の軌道に対して平行に第１レールと第２レールが前記駆動物の回動中心の軸方向に並んで設けられ、
前記駆動物には、前記第１レールに接触して前記駆動物の前記第２回転方向への回転を規制すると共に前記第１回転方向への回転を行わせる第１誘導部と、前記第２レールに接触して前記駆動物の前記第１回転方向への回転を規制すると共に前記第２回転方向への回転を行わせる第２誘導部とが、前記移動体が移動する際の軌道に略沿う方向へ互いに離れて設けられ、
前記第１レールには、前記移動体が前記第１位置から前記第２位置へ移動する際に、前記第１誘導部と接触して前記第１誘導部を前記第１回転方向へ押圧し前記駆動物を前記第１回転方向へ回転させる第１押圧傾斜部と、前記移動体が前記第２位置から前記第１位置へ移動する際における前記駆動物の前記第２回転方向への回転時に前記第１誘導部を退避させる第１退避傾斜部とを兼ねた第１傾斜部が設けられ、
前記第２レールには、前記移動体が前記第２位置から前記第１位置へ移動する際に、前記第２誘導部と接触して前記第２誘導部を前記第２回転方向へ押圧し前記駆動物を前記第２回転方向へ回転させる第２押圧傾斜部と、前記移動体が前記第１位置から前記第２位置へ移動する際における前記駆動物の前記第１回転方向への回転時に前記第２誘導部を退避させる第２退避傾斜部とを兼ねた第２傾斜部が設けられ、
前記第１レール及び前記第２レールは共に前記駆動物の一端側に位置し、
前記第１レールと前記第２レールに挟まれて前記第１レールと前記第２レール間を前記第１レール及び前記第２レールに沿って移動するレール間移動部が前記駆動物に設けられ、前記レール間移動部に前記第１誘導部と前記第２誘導部が設けられたことを特徴とする遊技機。
【請求項２】
遊技状態を表示する表示装置を備え、前記駆動物が前記表示装置の前を前記第１位置と前記第２位置間で往復移動することを特徴とする請求項１に記載の遊技機。
【発明の詳細な説明】
【技術分野】
【０００１】
本発明は、移動体に回動可能に取り付けられた駆動物を備える遊技機に関する。
【背景技術】
【０００２】
従来、パチンコ遊技機等の遊技機においては、盤面に対して垂直な軸を回動中心として自由回動可能な回動可能物体を、自重で上下方向に吊り下げると共に横方向へ往復移動可能に取り付け、さらには回動可能物体の移動経路途中に回動可能物体の下部と接触して回動可能物体の下部を一方向へ押圧することにより該押圧方向へ回動可能物体を回動させる回動用障害物を設けたものがある。
【０００３】
しかし、前記回動可能物体は移動の間、自重だけで上下方向を向いており、向きを規制するものがないため、振り子のように揺れながら移動し易く、移動中の安定性に欠けることから遊技の演出を損なうおそれがある。
【先行技術文献】
【特許文献】
【０００４】
【特許文献１】特開平６−２８５２２２号公報
【発明の概要】
【発明が解決しようとする課題】
【０００５】
本発明は、前記の点に鑑みなされたものであり、駆動物を安定して移動及び回動させることができ、遊技の演出性を高めることが可能な遊技機の提供を目的とする。
【課題を解決するための手段】
【０００６】
請求項１の発明は、駆動源の駆動により第１位置と第２位置間を往復移動する移動体と、前記移動体が移動する際の軌道に直交する軸を中心として第１回転方向及び該第１回転方向とは逆の第２回転方向へ回動可能に前記移動体に取り付けられて前記移動体と共に前記第１位置と前記第２位置間を往復移動する駆動物と、を備えた遊技機において、前記移動体が移動する際の軌道に対して平行に第１レールと第２レールが前記駆動物の回動中心の軸方向に並んで設けられ、前記駆動物には、前記第１レールに接触して前記駆動物の前記第２回転方向への回転を規制すると共に前記第１回転方向への回転を行わせる第１誘導部と、前記第２レールに接触して前記駆動物の前記第１回転方向への回転を規制すると共に前記第２回転方向への回転を行わせる第２誘導部とが、前記移動体が移動する際の軌道に略沿う方向へ互いに離れて設けられ、前記第１レールには、前記移動体が前記第１位置から前記第２位置へ移動する際に、前記第１誘導部と接触して前記第１誘導部を前記第１回転方向へ押圧し前記駆動物を前記第１回転方向へ回転させる第１押圧傾斜部と、前記移動体が前記第２位置から前記第１位置へ移動する際における前記駆動物の前記第２回転方向への回転時に前記第１誘導部を退避させる第１退避傾斜部とを兼ねた第１傾斜部が設けられ、前記第２レールには、前記移動体が前記第２位置から前記第１位置へ移動する際に、前記第２誘導部と接触して前記第２誘導部を前記第２回転方向へ押圧し前記駆動物を前記第２回転方向へ回転させる第２押圧傾斜部と、前記移動体が前記第１位置から前記第２位置へ移動する際における前記駆動物の前記第１回転方向への回転時に前記第２誘導部を退避させる第２退避傾斜部とを兼ねた第２傾斜部が設けられ、前記第１レール及び前記第２レールは共に前記駆動物の一端側に位置し、前記第１レールと前記第２レールに挟まれて前記第１レールと前記第２レール間を前記第１レール及び前記第２レールに沿って移動するレール間移動部が前記駆動物に設けられ、前記レール間移動部に前記第１誘導部と前記第２誘導部が設けられたことを特徴とする。
【０００７】
請求項２の発明は、請求項１において、遊技状態を表示する表示装置を備え、前記駆動物が前記表示装置の前を前記第１位置と前記第２位置間で往復移動することを特徴とする。
【発明の効果】
【０００８】
請求項１の発明によれば、移動体が移動する際の軌道に対して平行に第１レールと第２レールが駆動物の回動中心の軸方向に並んで設けられ、前記駆動物には、前記第１レールに接触して前記駆動物の前記第２回転方向への回転を規制すると共に前記第１回転方向への回転を行わせる第１誘導部と、前記第２レールに接触して前記駆動物の前記第１回転方向への回転を規制すると共に前記第２回転方向への回転を行わせる第２誘導部とが、前記移動体が移動する際の軌道に略沿う方向へ互いに離れて設けられ、前記第１レールには、前記移動体が前記第１位置から前記第２位置へ移動する際に、前記第１誘導部と接触して前記第１誘導部を前記第１回転方向へ押圧し前記駆動物を前記第１回転方向へ回転させる第１押圧傾斜部と、前記移動体が前記第２位置から前記第１位置へ移動する際における前記駆動物の前記第２回転方向への回転時に前記第１誘導部を退避させる第１退避傾斜部とを兼ねた第１傾斜部が設けられ、前記第２レールには、前記移動体が前記第２位置から前記第１位置へ移動する際に、前記第２誘導部と接触して前記第２誘導部を前記第２回転方向へ押圧し前記駆動物を前記第２回転方向へ回転させる第２押圧傾斜部と、前記移動体が前記第１位置から前記第２位置へ移動する際における前記駆動物の前記第１回転方向への回転時に前記第２誘導部を退避させる第２退避傾斜部とを兼ねた第２傾斜部が設けられた構成としたことにより、第１レール、第２レール、第１誘導部及び第２誘導部によって駆動物の自由な回動が規制されるため、駆動物の移動及び回動を安定して行うことができ、遊技の演出性を高めることが可能になる。しかも、レールに押圧傾斜部と退避傾斜部を別個に設ける必要がなくなり、レールの構成が簡略になる。
【０００９】
請求項１の発明によれば、前記第１レール及び前記第２レールは共に駆動物の一端側に位置する構成としたことにより、駆動物の中央などの目立ち易い位置に第１レール及び第２レールが存在せず、遊技者がレールに邪魔されることなく駆動物の移動及び回動を見ることができるため、遊技の演出性を高めることができる。しかも、第１レールと第２レールを駆動物の両端に分けて設ける場合に比べ、駆動機構を省スペースで設けることが可能になる。
【００１０】
請求項１の発明によれば、前記第１レールと前記第２レールに挟まれて前記第１レールと前記第２レール間を前記第１レール及び前記第２レールに沿って移動するレール間移動部が駆動物に設けられ、前記レール間移動部に前記第１誘導部と前記第２誘導部が設けられた構成としたことにより、第１レールと第２レールの間隔による駆動物のがたつきを抑えることができ、駆動物の移動及び回動を一層安定して行うことが可能になる。
【００１１】
請求項２の発明によれば、遊技状態を表示する表示装置を備え、駆動物が前記表示装置の前を第１位置と第２位置間で往復移動する構成としたことにより、図柄変動などで演出が行われて人目に付く表示装置の前を駆動物が往復移動しながら回動するため、駆動物を遊技者に注目させることができ、遊技の演出性を高めることが可能になる。
【図面の簡単な説明】
【００１２】
【図１】本発明の一実施例に係る遊技機について遊技盤の釘を省略して示す正面図である。
【図２】同遊技機の制御基板や装置等の接続を簡略に示すブロック図である。
【図３】同遊技機のセンター役物の正面図である。
【図４】同遊技機のセンター役物の斜視図である。
【図５】同遊技機のセンター役物から前面カバーを外した状態の斜視図である。
【図６】同遊技機における駆動物付近について駆動物の第１位置を示す正面図、平面図、背面図である。
【図７】同遊技機における駆動物の第２位置を示す正面図、平面図、背面図である。
【図８】同遊技機における駆動物とレール間移動部等の斜視図である。
【図９】同遊技機における駆動物とレール間移動部等を分解して示す前面側からの斜視図である。
【図１０】同遊技機における駆動物とレール間移動部等を分解して示す背面側からの斜視図である。
【図１１】同遊技機におけるレール部材の背面側斜視図である。
【図１２】同遊技機におけるレール部材についてレール間移動部が組み合わされた状態の背面図である。
【図１３】同遊技機における駆動物の第１位置から第２位置への移動及びその途中の第１回転方向への回転を示す平面図である。
【図１４】同遊技機における駆動物の第２位置から第１位置への移動及びその途中の第２回転方向への回転を示す平面図である。
【発明を実施するための形態】
【００１３】
以下添付の図面に基づき本発明の好適な実施形態を説明する。図１は本発明の一実施例に係る遊技機について遊技盤の釘を省略して示す正面図、図２は同遊技機の制御基板や装置等の接続を簡略に示すブロック図、図３は同遊技機のセンター役物の正面図、図４は同遊技機のセンター役物の斜視図、図５は同遊技機のセンター役物から前面カバーを外した状態の斜視図、図６は同遊技機における駆動物付近について駆動物の第１位置を示す正面図、平面図、背面図、図７は同遊技機における駆動物の第２位置を示す正面図、平面図、背面図、図８は同遊技機における駆動物とレール間移動部等の斜視図、図９は同遊技機における駆動物とレール間移動部等を分解して示す前面側からの斜視図、図１０は同遊技機における駆動物とレール間移動部等を分解して示す背面側からの斜視図、図１１は同遊技機におけるレール部材の背面側斜視図、図１２は同遊技機におけるレール部材についてレール間移動部が組み合わされた状態の背面図、図１３は同遊技機における駆動物の第１位置から第２位置への移動及びその途中の第１回転方向への回転を示す平面図、図１４は同遊技機における駆動物の第２位置から第１位置への移動及びその途中の第２回転方向への回転を示す平面図である。
【００１４】
図１に示すこの実施例の遊技機１は、遊技媒体として遊技球を用いるパチンコ遊技機であり、遊技盤３の前面には縁に遊技球の外側ガイドレール４及び内側ガイドレール５が略円形に立設され、前記内側ガイドレール５によって囲まれた遊技領域６の中心線上にその上部から下部に向かって順に表示装置９、始動入賞口１０、特別電動役物である大入賞口１５、アウト口１７が配設されている。前記表示装置９は左下に普通図柄表示部１１が組み込まれ、その他の部分が特別図柄表示部１２を構成している。前記表示装置９の下方には、前記始動入賞口１０の左側に普通図柄変動開始用ゲート１９が設けられ、前記普通図柄変動開始用ゲート１９の左側には左袖入賞口２３、下方には左落とし入賞口２７がそれぞれ設けられている。一方、前記始動入賞口１０の右側には右袖入賞口２５と、その下方に右落とし入賞口２９が配設されている。
【００１５】
さらに、前記表示装置９の周囲及び前面を覆うようにセンター役物１００が配設されている。本実施例のセンター役物１００は、図３及び図４に示すように前面カバー１１１と、その背面に組み合わされてセンター役物１００を前記遊技盤３に取り付ける取付ベース１２１とを備え、図５に示すように、前記取付ベース１２１側に駆動物１４１が取り付けられている。
【００１６】
前記前面カバー１１１は、前記表示装置９の周囲及び前面を覆う大きさからなって前記表示装置９と対応する部分が開口した枠体１１２と、前記枠体１１２の開口部分に設けられたプラスチック又はガラス等の透明部材１１７で構成され、前記透明部材１１７を介して遊技者が表示装置９を透視可能にされている。前記枠体１１２の下部は、前記始動入賞口１０の真上の部分にステージ１１３が形成され、前記ステージ１１３と前記透明部材１１７の下端間に形成された遊技球の出入り用開口１１４から侵入した遊技球を一旦受けて揺動させた後に、前記出入り用開口１１４から下方へ落下可能となっている。
【００１７】
前記取付ベース１２１は、ベース基板１２１ａとその周囲を包囲するベース枠体１２１ｂとよりなり、前記ベース基板１２１ａに前記駆動物１４１が取り付けられ、一方、前記ベース枠体１２１ｂに前記遊技盤３へのネジ止め孔１２１ｃが形成されている。前記駆動物１４１は、後に詳述する構成によりベース基板１２１ａの上部に取り付けられて、前記表示装置９の前を、駆動源としての駆動用モータ１４０の駆動により第１位置（本実施例では表示装置の右端位置、すなわち後述の第１、第２レールの右端位置）と第２位置（本実施例では表示装置の略中央位置、すなわち後述の第１、第２レールの左端位置）の間で往復移動可能とされると共に、前記往復移動する際の軌道（本実施例では左右方向の略水平の軌道）に直交する軸（本実施例では上下方向の軸）を中心として回動可能とされている。前記駆動物１４１の回動は、前記駆動物１４１が前記第１位置から前記第２位置へ移動する際には、第１回転方向（本実施例では左回り方向）へ回転し、また前記第２位置から前記第１位置へ戻る際には、第１位置回転方向とは反対の第２回転方向（本実施例では右回り方向）へ回転して元の回動位置に戻るようにされている。なお、前記駆動物１４１は、本実施例では骸骨の形状をしたものからなり、図６に示すように、第１位置では骸骨が正面の左方向を向いた斜めの状態にあり、第２位置へ移動する途中位置で第１回転方向へ回転して真正面を向き、その状態で図７に示すように第２位置まで移動する。また、前記駆動物１４１は、真正面を向いた状態で第２位置から第１位置へ戻る途中位置で第２回転方向へ回転して再び元の左方向を向いた斜めの状態になる。さらに、骸骨形状からなる前記駆動物１４１は、図６の６−Ｃに示すように顎部１４２が顎用ソレノイド１４３によって開閉駆動するように構成されている。前記駆動物１４１の往復移動及び回動の機構及び駆動用モータ１４０の駆動等については、後に詳述する。
【００１８】
なお、図１における符号Ｆ１は外枠、Ｆ２は外枠Ｆ１に取り付けられた前枠、Ｇは前枠Ｆ２に開閉可能にヒンジで取り付けられたガラス枠である。さらに、本実施例の遊技機１には、プリペイドカードニット５６が接続されている。
【００１９】
また、前記遊技機１の前面側には、枠飾り右ランプ３５ａ、枠飾り上ランプ３５ｂ及び枠飾り左ランプ３５ｃからなるランプ装置３５、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を遊技領域６に向けて弾発発射する発射装置５３等がそれぞれ組み付けられている。符号５４は操作レバーである。
【００２０】
遊技を制御するための複数の制御基板や装置等は、遊技機１の裏側に設けられている。前記各制御基板には制御回路が設けられている。主な制御基板の電気的接続を、図２のブロック図を用いて簡略に示す。
【００２１】
図２には、前記制御基板及び装置の主なものとして、主制御基板２００、表示制御基板２１０、音声制御基板２２０、ランプ制御基板２３０、払出制御基板２４０等が示されている。
【００２２】
前記主制御基板２００は、ＣＰＵ，ＲＡＭ，ＲＯＭ，複数のカウンタを備えたコンピュータと、該コンピュータと表示制御基板や音声制御基板等の副制御基板等を結ぶ入出力回路を備え、遊技の当否判定や副制御基板に対する制御等、遊技の主な制御を行う。また、本実施例では、前記主制御基板２００は、前記駆動物１４１の駆動源、本実施例では駆動用モータ１４０及び顎用ソレノイド１４３に対する駆動制御手段としても機能し、遊技状態に応じて駆動用モータ１４０及び顎用ソレノイド１４３を制御する。それに対して、前記表示制御基板２１０は、前記特別図柄表示部１２及び普通図柄表示部１１の制御を行う。また、前記音声制御基板２２０は前記スピーカ３８からの音声を制御し、前記ランプ制御基板２３０は前記ランプ装置３５等の制御を行い、前記払出制御基板２４０は賞球払出装置及び球貸払出装置による賞球及び貸球の払出を制御する。
【００２３】
前記遊技機１では、前記遊技領域６へ向けて前記発射装置５３により発射された遊技球が、前記種々の入賞口に入賞すると入賞口に応じた所定数の遊技球が賞球として上側球受け皿３６に払い出される。また、前記普通図柄変動開始用ゲート１９を遊技球が通過すると、小当たり判定・普通図柄決定用乱数値が取得され、その取得乱数値に基づいて普通図柄の当たり（小当たり）判定が行われ、前記普通図柄表示部１１で普通図柄が変動を開始し、所定時間変動後に停止する。その際、前記普通図柄の当たり判定結果が小当たりの場合には、小当たり普通図柄、この例では奇数で停止し、前記始動入賞口１０の２つの可動片１０ａ，１０ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記始動入賞口１０に遊技球が入賞すると、所定数の遊技球が賞球として払い出される。
【００２４】
また、前記始動入賞口１０に遊技球が入賞すると、大当たり当否判定用乱数値及び大当たり確定特別図柄の組合せ決定用乱数値が取得され、前記取得された大当たり当否判定用乱数値に基づいて大当たりの当否判定が行われ、前記表示装置９の特別図柄表示部１２で特別図柄が変動を開始し、所定時間変動後に停止する。
【００２５】
前記大当たりの当否判定結果が大当たりの場合には、前記特別図柄表示部１２に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な大当たり遊技（特別遊技）に移行する。前記特別遊技状態になると、前記大入賞口１５の開閉板１６が開いて遊技領域６の表面を落下してくる遊技球を受け止め易くして、大入賞口１５へ入賞可能にし、該大入賞口１５への入賞があると、所定数の遊技球が賞球として払い出される。前記開閉板１６は、所定時間（例えば２９．５秒）経過後、或いは入賞球数が所定個数（例えば１０個）となった時点で閉じるようにされている。また、前記大入賞口１５の開放中又は大入賞口１５が閉じてから約２秒以内に、大入賞口内の特定領域入賞口５２への入賞球が検出されると、前記大当たりを再度繰り返す継続権利が発生し、所定最高回数（例えば最高１６回）、前記開閉板１６の開放を繰り返すようになっている。
【００２６】
さらに、本実施例では、前記特別図柄の変動表示時、前記表示装置９の特別図柄表示部１２では特別図柄の他にキャラクタや背景画像等の演出画像が表示されると共に、前記駆動用モータ１４０が前記主制御基板（駆動制御手段）２００の制御により作動して前記駆動物１４１を前記表示装置９の前で前記第１位置と第２位置間の往復移動及び前記第１回転方向と前記第２回転方向の回転を行い、また、前記顎用ソレノイド１４３が前記主制御基板（駆動制御手段）２００の制御により作動して顎部１４２の開閉を行い、遊技状態に応じた演出（例えば大当り予告やリーチ予告などの遊技の当たりへの期待感を向上させる役割としての演出や前記特別図柄表示部１２での演出画像に合わせた演出等）を行う。以下に、本発明における前記駆動物１４１の駆動機構について詳述する。
【００２７】
前記駆動物１４１が取り付けられるベース基板１２１ａは、図５に示すように、前記表示装置９に対応する部分が開口部１２２となっており、前記開口部１２２の下部には上方へ向けてＬＥＤ等の発光装置１２３が設けられ、前記駆動物１４１が第１位置（右端位置）と第２位置（左端位置）間を往復移動する際に、遊技状態に応じて駆動物１４１を下方から照明するようになっている。なお、この発光装置１２３は前記ランプ制御基板２３０により制御されている。
【００２８】
前記ベース基板１２１ａにおける開口部１２２の上部には、左右方向の略水平に支持用シャフト１２４が設けられ、前記支持用シャフト１２４から所定距離下方に、前記支持用シャフト１２４と平行に駆動用シャフト１２６が設けられている。前記駆動用シャフト１２６は外周に螺旋溝１２７が形成されたものからなり、図３乃至図７に示すように、右端に設けられた歯車１２８を介して前記駆動用モータ１４０と接続され、前記駆動用モータ１４０の正転及び逆転駆動により正転及び逆転するようにされている。
【００２９】
前記支持用シャフト１２４と前記駆動用シャフト１２６には、移動体１５１がスライド可能に取り付けられ、前記移動体１５１の下部に前記駆動物１４１の上部が取り付けられている。前記移動体１５１は、図８乃至図１０に示すように、移動体前面側部材１５２、移動体背面側部材１６１、移動用係合爪部材１７１からなる。前記移動体前面側部材１５２は、前記移動体背面側部材１６１を向く背面側の上部に前記支持用シャフト１２４が嵌る支持用溝１５３と、その下方に前記駆動用シャフト１２６が嵌る駆動用溝１５４が左右方向に平行に形成されている。前記支持用溝１５３及び前記駆動用溝１５４は、前記支持用シャフト１２４及び駆動用シャフト１２６に対して前記移動体１５１が左右方向へスライド可能な大きさとされ、さらに前記駆動用溝１５４は前記駆動用シャフト１２６が回動可能な大きさとされている。また、前記移動体前面側部材１５２の前面側（遊技機の前面側）には、移動用係合爪部材取付用凹部１５５が形成されている。前記移動用係合爪部材取付用凹部１５５と前記駆動用溝１５４間は貫通孔１５６で連通している。一方、前記移動体背面側部材１６１は、前記移動体前面側部材１５２の支持用溝１５３に前記支持用シャフト１２４が嵌り、かつ前記駆動用溝１５４に前記駆動用シャフト１２６が嵌った状態で前記移動体前面側部材１５２の背面にビスで固定され、それによって前記支持用シャフト１２４及び前記駆動用シャフト１２６を移動体に保持する。なお、前記移動体背面側部材１６１には、前記支持用シャフト１２４及び前記駆動用シャフト１２６の表面と当接するスライド用突部１６２が形成され、前記支持用シャフト１２４及び前記駆動用シャフト１２６と移動体背面側部材１６１との接触面積を減らして移動体１５１の移動時における摩擦抵抗を減少させるようにしている。
【００３０】
前記移動用係合爪部材１７１は、前記移動体前面側部材１５２の移動用係合爪部材取付用凹部１５５にビス等で固定される。前記移動用係合爪部材１７１の背面側（遊技機背面側）には、前記移動体前面側部材１５２の貫通孔１５６に挿入されて前記駆動用シャフト１２６の螺旋溝１２７に嵌る移動爪１７２が形成されている。前記移動爪１７２は、前記駆動用シャフト１２６の螺旋溝１２７に嵌った状態で前記駆動用シャフト１２６が回動（正転及び逆転）することにより、前記螺旋溝１２７を駆動用シャフト１２６に沿って往復移動し、それによって前記移動体１５１が駆動物１４１と共に駆動用シャフト１２６に沿って前記第１位置と第２位置間を往復移動する。
【００３１】
前記移動体前面側部材１５２及び前記移動体背面側部材１６１の下端には、前記移動体前面側部材１５２と前記移動体背面側部材１６１の結合によって短筒部となる半筒部１５７，１６３がそれぞれ形成されている。前記半筒部１５７，１６３の内周面には、前記移動体前面側部材１５２と前記移動体背面側部材１６１の結合によって嵌合用環状溝部となる嵌合用溝部１５８，１６４がそれぞれ形成されている。なお、前記移動体背面側部材１６１は、下部が背面側へ略直角の略Ｌ字状に突出形成されて、前記背面側へ突出した部分の下面に前記半筒部が１６３が形成されると共に、前記半筒部１６３は上部が開口して半筒部１６３の内側が前記顎用ソレノイド１４３のための配線用挿通部１６５を兼ねている。また、前記移動体背面側部材１６１の半筒部１６３の外部背面には位置センサ用突部１６６が形成されている。前記位置センサ用突部１６６は、前記取付ベース１２１における前記駆動物の第１位置及び第２位置に設けられた第１位置検出センサＳ１及び第２位置検出センサＳ２によって検出されることにより、前記移動体１５１の位置、すなわち前記駆動物１４１の第１位置状態と第２位置状態が検出されて前記駆動用モータ１４０の回転方向が切換えられ、前記駆動用シャフト１２７の正転及び逆転が行われるようになっている。
【００３２】
前記駆動物１４１は、上部が筒部１４４とされて該筒部１４４に回動体１４５が回動自在に嵌着されている。前記回動体１４５は、上端外周が環状に張り出した形状とされ、前記張り出した環状部分１４５ａと前記筒部１４４の上端との間に隙間１４６が形成されるように前記筒部１４４に嵌着されている。
【００３３】
また、前記筒部１４４の外周には、前記回動体１４５の隙間１４６よりも下方に、レール間移動部１８１が嵌着固定されている。前記レール間移動部１８１は、前記筒部１４４の挿入嵌着される嵌着孔１８２が中央に形成された板状体からなり、該板状体における前面側（遊技機の前面側）がレール間挿入部１８３となっている。前記レール間挿入部１８３の外周は円弧状とされている。また、前記レール間挿入部１８３には、下面の右寄り位置に第１誘導部１８５（図８に示す）が短いピン状に突出形成され、一方、上面の左寄り位置に第２誘導部１８７が短いピン形状に突出形成されている。前記第１誘導部１８５と前記第２誘導部１８７は、前記駆動物１４１が第１位置と第２位置間を移動する際の軌道に略沿う方向（左右の水平方向）へ互いに離れて位置する。
【００３４】
前記駆動物１４１は、前記回動体１４５の環状部分１４５ａが、前記移動体前面側部材１５２及び前記移動体背面側部材１６１の嵌合用溝部１５８，１６４に挿入され、前記移動体前面側部材１５２及び前記移動体背面側部材１６１の結合によって前記移動体１５１の下部に固定保持される。これによって、前記駆動物１４１は、前記移動体１５１の下方で前記移動体１５１の上下垂直方向を軸として回動可能、すなわち左右に首を振ることが可能となり、前記支持用シャフト１２４及び前記駆動用シャフト１２６に前記移動体１５１を介して取り付けられ、前記表示装置９の前に配置される。なお、前記筒部１４４及び前記回動体１４５の内部は前記顎用ソレノイド１４３に対する配線挿通部とされる。
【００３５】
前記ベース基板１２１ａにおける前記駆動用シャフト１２６の下方には、前記駆動物１４１の上端側において前記レール間移動部１８１の前方位置に、左右方向の水平にレール部材１９０が設けられる。前記レール部材１９０は、図１１及び図１２にも示すように、その両端にベース基板１２１ａへの取付部１９０ａが形成されていると共に、背面（遊技機背面側）の下側に第１レール１９１が、また上側に第２レ−ル１９５が、前記駆動物１４１の回動中心の軸方向（本実施例では上下）に並んで、かつ前記駆動物１４１の第１位置と第２位置間の軌道に対して平行（本実施例では左右方向の水平）に形成されている。前記第1レール１９１には前記第1誘導部１８５が接触し、また前記第２レール１９５には前記第２誘導部１８７が接触し、前記駆動物１４１の自由な回動が規制される。前記第１レール１９１と第２レール１９５間は、前記レール間移動部１８１のレール間挿入部１８３が挿入される挿入路Ｌとなっている。前記第１レール１９１の前記第１誘導部１８５が接触する面には、中間の所定位置に第１傾斜部１９２が形成され、前記第１傾斜部１９２よりも右側部分１９３が左側部分１９４よりも前後奥行きが小とされ、前記第１傾斜部１９２では、右端から左端にかけて背面側へ後退するように斜めになっている。一方、前記第２レール１９５の前記第２誘導部１８７が接触する面には、前記第１傾斜部１９２の略真上付近に第２傾斜部１９６が形成され、第２傾斜部１９６よりも右側部分１９８が左側部分１９９よりも前後奥行きが大とされ、前記第２傾斜部１９６では、右端から左端にかけて前面側へ接近するように斜めになっている。すなわち、前記第１傾斜部１９２と第２傾斜部１９６は互いに反対方向へ傾斜している。また、前記第１レール１９１と前記第２レール１９５は、前記第１傾斜部１９２の傾斜角度ａと前記第２傾斜部１９６の傾斜角度ｂが同一とされ、前記第１傾斜部１９２及び第２傾斜部１９６以外の部分では前記表示装置９の前面と平行とされている。つまり、前記第１、第２傾斜部１９２，１９６以外の部分では、前記第１、第２レール１９１，１９５の前記第１、第２誘導部１８５，１８７が接触する面は奥行き方向に対しても平行で同一の間隔を保っている。
【００３６】
前記第１レール１９１には前記第１誘導部１８５が接触し、また前記第２レール１９５には前記第２誘導部１８７が接触し、前記駆動物１４１の自由な回動が規制される。すなわち、前記駆動物１４１が遊技機の振動等により自由に第２回転方向（右回り方向）へ回転しようとすると、前記第１誘導部１８５が前記第１レール１９１に衝突して第２回転方向への回転が阻止され、その逆に前記駆動物１４１が遊技機の振動等により自由に第１回転方向（左回り方向）へ回転しようとすると、前記第２誘導部１８７が前記第２レール１９５に衝突して第２回転方向への回転が阻止される。また、第１、第２レール１９１，１９５の平行部における第１、第２誘導部１８５，１８７が接触する面は、第１、第２傾斜部１９２，１９６によって変化した奥行きのまま互いの奥行き方向の距離を平行にしているため、駆動物１４１は回動した向きで規制されながら移動することになる。
【００３７】
さらに、本実施例では、前記第１傾斜部１９２は第１押圧傾斜部と第１退避傾斜部を兼ね、また、前記第２傾斜部１９６は第２押圧傾斜部と第２退避傾斜部を兼ねている。すなわち、図１３に示すように、前記駆動物１４１（前記移動体１５１）が第１位置（本実施例では右端位置）から第２位置（本実施例では左端位置）へ移動する際、前記第１傾斜部１９２は、前記第１誘導部１８５と接触して前記第１誘導部１８５を第１回転方向（本実施例では左回り方向）へ押圧し、前記駆動物１４１に第１回転方向への回転を行わせる第１押圧傾斜部として機能する。また、前記駆動物１４１の第１回転方向への回転時、前記第２レール１９５の第２傾斜部１９６は、前記第２誘導部１８７が前記第２傾斜部１９６と衝突して駆動物１４１が第１回転方向へ回転できなくなるのを防止するため、前記第２誘導部１８７を前記第２傾斜部１９６に沿って移動させて前記駆動物１４１の第１回転方向への回転に応じた分だけ退避させる第２退避傾斜部として機能する。
【００３８】
一方、図１４に示すように、第２位置（本実施例では左端位置）から第１位置（本実施例では右端位置）へ移動する際、前記第２傾斜部１９６は、前記第２誘導部１８７と接触して前記第２誘導部１８７を第２回転方向（本実施例では右回り方向）へ押圧し、前記駆動物１４１に第２回転方向への回転を行わせる第２押圧傾斜部として機能する。また、前記駆動物１４１の第２回転方向への回転時、前記第１レールの第１傾斜部１９２は、前記第１誘導部１８５が前記第１傾斜部１９２と衝突して駆動物１４１が第２回転方向へ回転できなくなるのを防止するため、前記第１誘導部１８５を前記第１傾斜部１９２に沿って移動させて前記第１誘導部１８５を前記駆動物１４１の第２回転方向への回転に応じた分だけ退避させる第１退避傾斜部として機能する。
【００３９】
さらに、前記第１傾斜部（第１押圧傾斜部）１９２と前記第２傾斜部（第２押圧傾斜部）１９６の傾斜角度ａ，ｂが等しくされているため、前記駆動物１４１の第１回転方向への回転量と第２回転方向への回転量が等しくなり、前記駆動物１４１は第１位置に戻った際には常に一定の向きになる。なお、前記第１レール１９１及び前記第２レール１９５における第１傾斜部１９２及び第２傾斜部１９６以外の平行部分では、前記駆動物１４１は回動することなく一定の向きとなる。すなわち回動した向きを保ちつつ、平行移動を行うことが可能となっている。
【００４０】
本実施例の遊技機１は、このように、第１レール１９１、第２レール１９５、第１誘導部１８５及び第２誘導部１８７によって駆動物１４１の自由な回動が規制されるため、駆動物１４１の第１位置と第２位置間の移動及び第１回転方向と第２回転方向の回動を安定して行うことができ、遊技の演出性を高めることが可能になる。
【００４１】
なお、本発明は、本実施例に限定されず、発明の趣旨を逸脱しない範囲で変更可能である。例えば、前記第１位置と前記第２位置を上下に所定距離離れた位置として、駆動物を上下に往復移動可能にすると共に、前記駆動物の第１回転方向を上方への回転とし、第２回転方向を下方への回転方向としてもよい。また、前記駆動物を第１位置と第２位置間で往復移動させる駆動機構は、螺旋溝の形成された駆動用シャフトを回動させるものに限られず、例えば、駆動物を牽引用の紐状物に取り付けて牽引用紐状物を引っ張るようにしたものや、伸縮するシリンダー装置によって駆動物を第１位置と第２位置間で往復移動させるようにしたものでもよい。さらに、遊技の内容に応じて駆動物の形状等を変更し、あるいは駆動物内に照明装置を設けて、移動や回転に応じて点灯するようにしてもよい。また、前記第１レール及び第２レールは駆動物の上側一端に限られず、例えば駆動物が左右に移動する場合には駆動物の下側一端とし、あるいは駆動物が上下に移動する場合には駆動物の左右の何れか一端でもよい。さらにまた、遊技機はパチンコ遊技機に限定されるものではなく、他の遊技機であってもよい。
【符号の説明】
【００４２】
１  遊技機
３  遊技盤
９  表示装置
１４１  駆動物
１５１  移動体
１８１  レール間移動部
１８５  第１誘導部
１８７  第２誘導部
１９１  第１レール
１９２  第１傾斜部（第１押圧傾斜部及び第１退避傾斜部）
１９５  第２レール
１９６  第２傾斜部（第２押圧傾斜部及び第２退避傾斜部）
【図１】
2010227653.tif 000003
【図２】
2010227653.tif 000004
【図３】
2010227653.tif 000005
【図４】
2010227653.tif 000006
【図５】
2010227653.tif 000007
【図６】
2010227653.tif 000008
【図７】
2010227653.tif 000009
【図８】
2010227653.tif 000010
【図９】
2010227653.tif 000011
【図１０】
2010227653.tif 000012
【図１１】
2010227653.tif 000013
【図１２】
2010227653.tif 000014
【図１３】
2010227653.tif 000015
【図１４】
2010227653.tif 000016